(57)【特許請求の範囲】
【請求項１】
表面に表示部を有する第１の筐体と、
表面に操作部を有する第２の筐体と、
上記第１の筐体と第２の筐体とをスライド自在に連結するスライド機構とを備えたスライド式携帯端末であって、
上記スライド機構は、
上記第２の筐体表面に上記第１の筐体のスライド方向に延びる一対のレール部と、
上記第１の筐体に設けられ、上記一対のレール部に係合する一対の係止部と、
上記第２の筐体に上記一対のレール部に平行に設けられたラックと、
上記第２の筐体に上記ラックに平行に設けられたガイド孔と、
上記ガイド孔内に中心軸がスライド移動自在に挿入され、上記ラックに噛み合う小径歯車及び該小径歯車のピッチ円直径よりもピッチ円直径が大きい大径プーリを上下に有するピニオンと、
上記第１の筐体に両端部が連結され、中間部が上記大径プーリに巻き付けられた可撓性線状部材とを備えている
ことを特徴とするスライド式携帯端末。
【請求項２】
請求項１に記載のスライド式携帯端末において、
上記ピニオンを上記ガイド孔に沿って付勢する付勢部材を備えている
ことを特徴とするスライド式携帯端末。
【請求項３】
請求項２に記載のスライド式携帯端末において、
上記付勢部材は、上記第２の筐体に設けた引っ張りコイルバネである
ことを特徴とするスライド式携帯端末。
【請求項４】
請求項３に記載のスライド式携帯端末において、
上記引っ張りコイルバネは、第１の筐体がスライド移動して第２の筐体の操作部が現れる方向へ上記ピニオンを付勢するように構成されている
ことを特徴とするスライド式携帯端末。
【請求項５】
請求項２乃至４のいずれか１つに記載のスライド式携帯端末において、
上記可撓性線状部材の両端部は、上記第１の筐体の左右中央にそれぞれ設けられている
ことを特徴とするスライド式携帯端末。
【請求項６】
請求項５に記載のスライド式携帯端末において、
上記第１の筐体と第２の筐体とを電気的に接続するフレキシブル基板を備え、
上記フレキシブル基板は、上記ラックと左右反対側に上記可撓性線状部材から所定の距離を空けた状態で、上記第１の筐体と第２の筐体との間で、折曲部が側面視Ｕ字形状を形成するように結合されている
ことを特徴とするスライド式携帯端末。
【請求項７】
請求項２乃至６のいずれか１つに記載のスライド式携帯端末において、
上記一対のレール部及びガイド孔は、上記第２の筐体表面に設けたプレート部材に形成されている
ことを特徴とするスライド式携帯端末。
【請求項８】
請求項７に記載のスライド式携帯端末において、
上記ピニオン及び付勢部材は、上記プレート部材にユニット組立されている
ことを特徴とするスライド式携帯端末。
【請求項９】
請求項１乃至８のいずれか１つに記載のスライド式携帯端末において、
上記ラックとピニオンとは、金属成形品である
ことを特徴とするスライド式携帯端末。
【請求項１０】
請求項１乃至８のいずれか１つに記載のスライド式携帯端末において、
上記ラックとピニオンとは、樹脂成形品である
ことを特徴とするスライド式携帯端末。
【請求項１１】
請求項１乃至１０のいずれか１つに記載のスライド式携帯端末において、
上記可撓性線状部材は、金属のより線を樹脂で被覆したものよりなる
ことを特徴とするスライド式携帯端末。
【請求項１２】
請求項１乃至１０のいずれか１つに記載のスライド式携帯端末において、
上記可撓性線状部材は、樹脂製編み線よりなる
ことを特徴とするスライド式携帯端末。
【請求項１３】
請求項１乃至１２のいずれか１つに記載のスライド式携帯端末において、
上記可撓性線状部材は、上記第１の筐体に対して弾性部材によって張力調整可能に取り付けられている
ことを特徴とするスライド式携帯端末。
【請求項１４】
請求項１乃至１３のいずれか１つに記載のスライド式携帯端末において、
携帯電話機である
ことを特徴とするスライド式携帯端末。
【発明の詳細な説明】
【技術分野】
【０００１】
本発明は、第１の筐体と第２の筐体とをスライド自在に連結するスライド機構を有するスライド式携帯端末に関するものである。
【背景技術】
【０００２】
従来より、携帯端末の第１の筐体と第２の筐体とを上下方向に重ね合わせた状態で相対的にスライドさせる機構において、第１の筐体と第２の筐体とが所定のスライド位置にあるときに自動的に開閉動作を行えるスライド機構は知られている（例えば、特許文献１乃至４参照）。
【０００３】
特許文献１では、第１の筐体と第２の筐体のいずれか一方のものに取り付けたスライドケースと、このスライドケースに対し摺動可能に取り付けられ第１の筐体と第２の筐体のいずれか他方のものに取り付けられたスライダーと、このスライダーとスライドケースとの間に設けられスライダーを所定の摺動位置から閉方向及び又は開方向へ摺動付勢させる捩りコイルバネとで構成している。
【０００４】
弾性部材として、特許文献２では、一対の捩りコイルバネが設けられ、特許文献３では、２つのコイル部を有する一対の捩りコイルバネが設けられている。
【０００５】
このように、従来の捩りバネ機構では、捩りコイルバネで弾性部材を構成すると、コイル部の巻き数や外径でバネ定数が決まるが、携帯端末の厚さを抑えるためには、コイル部の巻き数を増やすことができず、捩りコイルバネを複数設けたり、コイル部の外径を大きくしたりする工夫が行われている。
【０００６】
さらに特許文献４においては、圧縮コイルバネが用いられたものも開示されている。
【特許文献１】特開２００５−２１０６４９号公報
【特許文献２】特開２００６−５０２０４号公報
【特許文献３】特開２００６−２１７５９４号公報
【特許文献４】特表２００７−５０３７５２号公報
【発明の開示】
【発明が解決しようとする課題】
【０００７】
しかしながら、捩りコイルバネでは、コイル部の外径を大きくしたり、コイル部の個数を増やすことで、厚さが増えたり、第１の筐体と第２の筐体とを電気的に接続する信号線の配置などの関係上、スライド量が小さくなったりするという問題がある。
【０００８】
一方、上記特許文献４のように圧縮コイルバネを用いれば、その本数や巻き数を増やしても、外径さえ増やさなければ厚さを抑えることができるが、圧縮バネである関係上、中に軸を設けなければその伸縮動作が滑らかに行えず、おのずと最小厚さには制限があるという問題があった。
【０００９】
本発明は、かかる点に鑑みてなされたものであり、その目的とするところは、スライド機構を厚さが薄いものとし、全体の厚さが薄く、スライド量の大きいスライド式携帯端末を提供することにある。
【課題を解決するための手段】
【００１０】
上記の目的を達成するために、この発明では、第１の筐体と第２の筐体とにそれぞれラックを設け、これらのラックに噛み合うピニオンを第２の筐体にスライド移動自在に支持した。
【００１１】
具体的には、第１の発明では、表面に表示部を有する第１の筐体と、
表面に操作部を有する第２の筐体と、
上記第１の筐体と第２の筐体とをスライド自在に連結するスライド機構とを備えたスライド式携帯端末を対象とする。
【００１２】
そして、上記スライド機構は、
上記第２の筐体表面に上記第１の筐体のスライド方向に延びる一対のレール部と、
上記第１の筐体に設けられ、上記一対のレール部に係合する一対の係止部と、
上記第２の筐体に上記一対のレール部に平行に設けられたラックと、
上記第２の筐体に上記ラックに平行に設けられたガイド孔と、
上記ガイド孔内に中心軸がスライド移動自在に挿入され、上記ラックに噛み合う小径歯車及び該小径歯車のピッチ円直径よりもピッチ円直径が大きい大径プーリを上下に有するピニオンと、
上記第１の筐体に両端部が連結され、中間部が上記大径プーリに巻き付けられた可撓性線状部材とを備えている。
【００１３】
上記の構成によると、大径プーリのピッチ円直径よりも小径歯車のピッチ円直径が小さいので、ピニオンは、ラック上を進んで１回転する間に可撓性線状部材を伝ってより長い距離進む。このため、ラックは可撓性線状部材の直線部分よりも短くてすむので、ラックが第２の筐体に占める領域は狭くてすむと共に、歯数や円ピッチを変えることでスライド量の調整が容易である。さらに、ピニオンは、第２の筐体の定位置に支持されているのではなく、ガイド孔内を移動することにより、定位置に支持されたものに比べて第１の筐体のスライド量を大きくすることができる。スライド量が大きくなれば、操作部の領域が広くなる。可撓性線状部材と大径プーリとの組合せは、ラックとピニオンとの組合せに比べ、スリップすることにより、破壊の可能性が低く、動作が滑らかであり、ほぼ可撓性線状部材の直径で構成されるため、薄型化が可能となる。
【００１４】
第２の発明では、第１の発明において、
上記ピニオンを上記ガイド孔に沿って付勢する付勢部材を備えている。
【００１５】
上記の構成によると、付勢部材でピニオンをガイド孔に沿って付勢することでピニオンがラック上を進みながら可撓性線状部材を巻き付ける。このことで、付勢部材により第１の筐体のスライド移動がアシストされる。
【００１６】
第３の発明では、第２の発明において、
上記付勢部材は、上記第２の筐体に設けた引っ張りコイルバネとする。
【００１７】
上記の構成によると、引っ張りコイルバネがピニオンを一方向に付勢するので、第１の筐体の一方向へのスライド移動がアシストされる。また、引っ張りコイルバネであれば、捩りコイルバネのように巻き数を増やしても第２の筐体の厚さに影響を与えない。さらに、圧縮バネのように中心に軸を設ける必要がないので、外径を小さくすることができ、スライド機構が薄くなってスライド式携帯端末の全体の厚さが増大しない。
【００１８】
第４の発明では、第３の発明において、
上記引っ張りコイルバネは、第１の筐体がスライド移動して第２の筐体の操作部が現れる方向へ上記ピニオンを付勢するように構成されている。
【００１９】
上記の構成によると、急いで使用したいときなど、片手でも第１の筐体の開き方向のスライド操作が行われる。
【００２０】
第５の発明では、第２乃至第４のいずれか１つの発明において、
上記可撓性線状部材の両端部は、上記第１の筐体の左右中央にそれぞれ設けられている。
【００２１】
上記の構成によると、ピニオンから伝えられた駆動力が第１の筐体の中央の可撓性線状部材に伝えられ、レール部と係止部との間で回転モーメントが掛かりにくくなり、摺動抵抗が小さくなるので、第１の筐体がレール部上をスムーズに移動する。
【００２２】
第６の発明では、第５の発明において、
上記第１の筐体と第２の筐体とを電気的に接続するフレキシブル基板を備え、
上記フレキシブル基板は、上記ラックと左右反対側に上記可撓性線状部材から所定の距離を空けた状態で、上記第１の筐体と第２の筐体との間で、折曲部が側面視Ｕ字形状を形成するように結合されている。
【００２３】
上記の構成によると、可撓性線状部材を第１の筐体の中央に配置したことで空いたラックと反対側にフレキシブル基板を配置すれば、フレキシブル基板がピニオンに接触することがない。
【００２４】
第７の発明では、第２乃至第６のいずれか１つの発明において、
上記一対のレール部及びガイド孔は、上記第２の筐体表面に設けたプレート部材に形成されている。
【００２５】
上記の構成によると、一対のレール部及びガイド孔をプレート部材に形成することで、両者を正確に配置できると共に、スライド機構の厚さが薄くなる。
【００２６】
第８の発明では、第７の発明において、
上記ピニオン及び付勢部材は、上記プレート部材にユニット組立されている。
【００２７】
上記の構成によると、ピニオン及び付勢部材の組立が容易であると共に、ピニオン及び付勢部材が薄い領域内に正確に配置される。
【００２８】
第９の発明では、第１乃至第８のいずれか１つの発明において、
上記ラックとピニオンとは、金属成形品とする。
【００２９】
上記の構成によると、ラックとピニオンの小径歯車との精度が高く、操作感触がよい。また、強度があるため、より薄型化が可能であり、耐久性も高い。
【００３０】
第１０の発明では、第１乃至第８のいずれか１つの発明において、
上記ラックとピニオンとは、樹脂成形品とする。
【００３１】
上記の構成によると、摩擦抵抗を小さくできると共に、操作が滑らかとなり、また、成形が容易で安価である。
【００３２】
第１１の発明では、第１乃至第１０のいずれか１つの発明において、
上記可撓性線状部材は、金属のより線を樹脂で被覆したものよりなる。
【００３３】
上記の構成によると、金属製なので、耐久性が高く細くすることが可能であり、樹脂を被覆することで、適度にスリップし、滑らかなスライドが実現される。
【００３４】
第１２の発明では、第１乃至第１０のいずれか１つの発明において、
上記可撓性線状部材は、樹脂製編み線よりなる。
【００３５】
上記の構成によると、高強力や低伸度の樹脂製編み線を使用することで、適度にスリップし、滑らかなスライドが実現される。
【００３６】
第１３の発明では、第１乃至第１２のいずれか１つの発明において、
上記可撓性線状部材は、上記第１の筐体に対して弾性部材によって張力調整可能に取り付けられている。
【００３７】
上記の構成によると、張力を調整することで、スライド時の感覚調整及び滑り発生の防止が可能である。
【００３８】
第１４の発明では、第１乃至第１３のいずれか１つの発明において、
スライド式携帯端末は、携帯電話機とする。
【００３９】
上記の構成によると、常に持ち歩き、頻繁に使用する携帯電話機が薄く、操作性のよいものとなる。
【発明の効果】
【００４０】
以上説明したように、本発明によれば、ピニオンを、小径歯車と、この小径歯車のピッチ円直径よりもピッチ円直径が大きい大径プーリとが上下に配置された上下二段のものとし、ピニオンがガイド孔内を移動しながら可撓性線状部材を巻き付けるようにしたことにより、スライド機構を厚さが極めて薄いものとすることができ、全体の厚さが薄く、スライド量の大きい、滑らかな動きのスライド式携帯端末が得られる。
【００４１】
上記第２の発明によれば、付勢部材でピニオンをガイド孔に沿って付勢してピニオンがラック上を進みながら可撓性線状部材を巻き付けるようにしたことにより、第１の筐体のスライド移動を極めて容易に行うことができる。
【００４２】
上記第３の発明によれば、引っ張りコイルバネによってピニオンを一方向に付勢し、第１の筐体のスライド移動をアシストするようにしたことにより、簡単な構成でスライド機構の厚さを増大させることなく容易に第１の筐体をスライド移動させることができる。
【００４３】
上記第４の発明によれば、引っ張りコイルバネによって第１の筐体のスライド移動がアシストされ、第２の筐体の操作部が現れるようにしたことにより、片手のみでスライド操作し、簡単にスライド式携帯端末を使用することができる。
【００４４】
上記第５の発明によれば、可撓性線状部材の両端部を第１の筐体の左右中央にそれぞれ設けたことにより、摺動抵抗を減らして第１の筐体のスライド移動を極めて容易に行うことができる。
【００４５】
上記第６の発明によれば、可撓性線状部材の両端部を第１の筐体の中央にそれぞれ配置したことで空いたラックと反対側にフレキシブル基板を配置したことにより、スペースを有効に利用して厚さの薄いコンパクトなスライド式携帯端末が得られる。
【００４６】
上記第７の発明によれば、一対のレール部及びガイド孔を第２の筐体表面のプレート部材に形成したことにより、一対のレール部及びガイド孔を正確に配置することができるので、スライド移動がスムーズに行われ、また、一対のレール部及びガイド孔を薄いプレート部材に設けることで、スライド機構の薄型化を図り、スライド式携帯端末全体の薄さを薄くすることができる。
【００４７】
上記第８の発明によれば、ピニオン及び付勢部材をプレート部材にユニット組立したことにより、ピニオン及び付勢部材の組立を薄い領域内に容易かつ正確に行うことができるので、組立のしやすく薄いスライド式携帯端末が得られる。
【００４８】
上記第９の発明によれば、ラックとピニオンとを金属成形品としたことにより、ギヤの噛み合い精度が高いので操作感触がよく、耐久性もあり、薄型なスライド機構が得られる。
【００４９】
上記第１０の発明によれば、ラックとピニオンとを樹脂成形品としたことにより、摩擦抵抗の小さい操作が滑らかで、かつ安価なスライド機構が得られる。
【００５０】
上記第１１の発明によれば、可撓性線状部材を金属製ワイヤーとしたことにより、耐久性が高く、全体の薄さの薄いスライド機構が得られる。
【００５１】
上記第１２の発明によれば、可撓性線状部材を糸としたことにより、ソフトな感覚のスライド機構が得られる。
【００５２】
上記第１３の発明では、可撓性線状部材を第１の筐体に張力調整可能に取り付けたことにより、スライド操作時の滑りを防ぐことができると共に、落下時の衝撃を効果的に吸収することができる。
【００５３】
上記第１４の発明によれば、スライド式携帯端末を携帯電話機としたことにより、薄くて携帯性がよく、スライド量が大きくて操作部の操作がしやすい商品性の高い携帯電話機が得られる。
【発明を実施するための最良の形態】
【００５４】
以下、本発明の実施形態を図面に基づいて説明する。
【００５５】
図１は本発明の実施形態にかかるスライド式携帯電話機１の第１の筐体２が上端にスライドした様子を示す正面図である。図２乃至図４は、スライド式携帯電話機１が閉じた状態を示し、図５乃至図７は、スライド式携帯電話機１が開いた状態を示す。図８は、図２のVIII−VIII線断面図である。図９は、図３のIX−IX線で破断した斜視図である。図１０は、スライド機構におけるピニオン及びその周辺の横断面を裏面側から見た斜視図である。図１１は、取付ブラケット及びピニオンの中心軸の拡大斜視図である。
【００５６】
図１に示すように、スライド式携帯電話機１は、上下方向に長い第１の筐体２と第２の筐体３とを備えている。白い矢印で示すように、第１の筐体２と第２の筐体３とは、スライド機構４により上下方向にスライド自在に連結されている。
【００５７】
第１の筐体２は、その表面に上下方向に長い縦長の表示部５を有し、その表示部５の上側に受話部６が設けられている。表示部５は、液晶ディスプレイでも、有機ＥＬディスプレイでもよい。有機ＥＬディスプレイであれば、バックライトを必要としないため、さらなる薄型化が可能である。
【００５８】
第２の筐体３は、その表面の中央から下側の部分に操作部７を有している。この操作部７には、例えばファンクションボタン８と、番号ボタン９とが設けられている。操作部７の下側に受話部１０が設けられている。
【００５９】
図２乃至図１０では、簡略化のために、第１の筐体２は、その裏側を覆う裏側キャビネット２ａのみ示し、図２及び図５にのみ、第２の筐体３の外形を二点鎖線で示す。第２の筐体３の上側表面には、スライド機構４が装着されるプレート部材１４（二点鎖線で示す）が設けられている。このプレート部材１４の左右両端に一対のレール部１２が設けられている。図８に示すように、一対のレール部１２は、第２の筐体３の左右端部から垂直に第１の筐体２に向かって延びた後、内側に垂直に折り曲げられた溝形状に形成されている。プレート部材１４は、例えば、ステンレス製のプレス鋼板よりなり、プレート部材１４に一対のレール部１２を設けることで、厚さの薄い領域で剛性の高いスライド機構４が実現される。
【００６０】
一方、第１の筐体２の裏面側の裏側キャビネット２ａには、この一対のレール部１２内に挿入される上下方向に長い係止部１３が左右方向に突出するように設けられている。この係止部１３を棒状の金属材料で構成し、金属製又は樹脂製の裏側キャビネット２ａの左右端部に圧着したものとすれば、その耐摩耗性が向上する。また、裏側キャビネット２ａのみを金属製プレートで成形し、係止部１３を摩擦抵抗の低いプラスチックとして裏側キャビネット２ａの左右端部に嵌め込んでもよい。係止部１３をレール部１２内に挿入させることで、第１の筐体２が安定して第２の筐体３上をスライド移動するようになっている。
【００６１】
プレート部材１４には、一対のレール部１２に平行にラック２２がビス（図示せず）等により取り付けられている。ラック２２をステンレス製とすれば、耐久性が高く、薄いものが得られ、プラスチック製とすれば、軽量化が図られる。
【００６２】
プレート部材１４におけるラック２２と平行にガイド孔２３が設けられている。ガイド孔２３は細長い形状で下端部２３ａのみ幅広の形状となっている。これら一対のレール部１２及びガイド孔２３をプレート部材１４に形成することで、両者を正確に配置できると共に、スライド機構４の厚さが薄くなっている。
【００６３】
裏側キャビネット２ａにおける一対のレール部１２の間には、一対の係止部１３に平行に可撓性線状部材としてのワイヤー２０が掛けられている。つまり、ワイヤー２０は、例えば、ポリエステルの編み線よりなり、直径は０．３ｍｍ〜０．５ｍｍ程度である。このワイヤー２０の上端部は、裏側キャビネット２ａの左右中央にビス２０ａにより取り付けられている。ワイヤー２０の下端側は、弾性部材としてのスプリング２１を介して第１の筐体２にビス２０ａにより取り付けられている。このスプリング２１により張力を調整することで、スライド時の感覚調整及びワイヤー２０と後述する大径プーリ２５との間の滑り発生の防止が可能である。
【００６４】
図１０に示すように、ガイド孔２３内には、ピニオン２４の中心軸２４ａがスライド移動自在に挿入されている。図１１に拡大して示すように、取付ブラケット２８の上下端部は、その他の部分よりも幅広に成形され、上端には、表面側へ折り曲げられたバネ取付部２８ａが形成されている。下端には、抜け止め用に抜け止め部２８ｂが形成されている。中心軸２４ａの先端は、金属製の取付ブラケット２８にかしめられて抜け止めされている。これらバネ取付部２８ａ及び抜け止め部２８ｂをガイド孔２３の下端部２３ａに順に挿入することで取付ブラケット２８がプレート部材１４に取付可能となっている。取付ブラケット２８をプレート部材１４に取り付けた後、ピニオン２４を中心軸２４ａに挿入し、その先端をかしめることで、ピニオン２４が中心軸２４ａを中心に回転可能となっている。
【００６５】
ピニオン２４は、ワイヤー２０に巻き付く大径プーリ２５と、ラック２２に噛み合うと共に、この大径プーリ２５のピッチ円直径よりもピッチ円直径が小さい小径歯車２６とを上下に備えている。ワイヤー２０は、大径プーリ２５に少なくとも一巻き以上巻き付いている。ピニオン２４をステンレスなどの金属成形品とすると、ラック２２とピニオン２４との精度が高く、操作感触がよい。また、強度があるため、より薄型化が可能であり、耐久性も高くなる。一方、樹脂成形品とすると、摩擦抵抗を小さくできると共に、操作が滑らかとなり、また、成形が容易で安価となる。
【００６６】
プレート部材１４には、ピニオン２４をガイド孔２３に沿って付勢する付勢部材としての引っ張りコイルバネ２７が設けられている。具体的には、プレート部材１４の上端のガイド孔２３の延長線上の部分は、上方へ伸び、先端が表面側に折り曲げられてバネ支持部１４ａが形成されている。このバネ支持部１４ａと上記バネ取付部２８ａとに引っ張りコイルバネ２７が取り付けられている。このことで、引っ張りコイルバネ２７は、第１の筐体２がスライド移動して第２の筐体３の操作部７が現れる方向へピニオン２４を付勢するように構成されている。引っ張りコイルバネ２７であれば、巻き数を増やしても長さが伸びるだけで第２の筐体３の厚さに影響を与えない。さらに、圧縮バネのように中心に軸を設ける必要がないので、外径を小さくすることができ、スライド機構４の全体の厚さが抑えられている。
【００６７】
プレート部材１４のラック２２と左右反対側にワイヤー２０から所定の距離を空けた位置に基板挿通用開口１４ｂが形成されている。図９に示すように、この基板挿通用開口１４ｂには、フレキシブル基板１１が挿通され、第１の筐体２の表示部５と第２の筐体３のメイン基板（図示せず）との間で、折曲部１１ａが側面視Ｕ字形状を形成するように結合されている。このように、ワイヤー２０を第１の筐体２の中央に配置したことで空いたラック２２と反対側にフレキシブル基板１１を配置すれば、フレキシブル基板１１がピニオン２４に接触することがない。
【００６８】
ピニオン２４及び引っ張りコイルバネ２７は、プレート部材１４にユニット組立されている。このため、ユニット構成したプレート部材１４を第２の筐体３に取り付け、レール部１２を係止部１３に係止させればよいので、ピニオン２４及び引っ張りコイルバネ２７の組立が容易であると共に、ピニオン２４及び引っ張りコイルバネ２７が薄い領域内に正確に配置されている。
【００６９】
プレート部材１４の表面から見て右側には、第１の筐体２を閉じ位置に固定するロック機構３０が設けられている。具体的には、プレート部材１４の上側右端には、右側へ突出するロック取付部１４ｃが形成されている。このロック取付部１４ｃは、つまみ部３１ａと鉤部３１ｂとを有するロック部材３１が軸３２で軸支されている。鉤部３１ｂが係止部１３の上端をロックすることで、第１の筐体２が閉じ状態に保持され、つまみ部３１ａを操作してロック部材３１を揺動させ、鉤部３１ｂと係止部１３との係止が解除されることで、引っ張りコイルバネ２７に付勢されて第１の筐体２が開き位置へスライド移動するようになっている。
【００７０】
−スライド式携帯電話機のスライド操作−
次に、本実施形態にかかるスライド式携帯電話機１のスライド操作について説明する。
【００７１】
まず、図２乃至図４に示すように、閉じ状態では、第１の筐体２が第２の筐体３と重合した状態にある。ピニオン２４は、ガイド孔２３の下端側にあり、引っ張りコイルバネ２７は、引っ張られた状態でロック機構３０により保持されている。小径歯車２６は、ラック２２の下端側に係合し、大径プーリ２５は、ワイヤー２０の上側に巻き付いている。
【００７２】
次いで、ロック機構３０のつまみ部３１ａを下方へ操作して鉤部３１ｂと係止部１３との係止を解除する。すると、ピニオン２４が引っ張りコイルバネ２７に引っ張られ、ラック２２上を移動する。これに伴ってワイヤー２０が巻き付けられる。大径プーリ２５のピッチ円直径よりも小径歯車２６のピッチ円直径が小さいので、ピニオン２４がラック２２上を進んで１回転する間にワイヤー２０上をより長い距離進む。このため、ラック２２はワイヤー２０の直線部分よりも短くてすむので、ラック２２が第２の筐体３に占める領域は狭くてすむと共に、スライド量の調整が容易である。さらに、ピニオン２４は、第２の筐体３の定位置に支持されているのではなく、ガイド孔２３内を移動することにより、定位置に支持されたものに比べて第１の筐体２のスライド量を大きくすることができる。スライド量が大きくなれば、操作部７の領域が広くなる。このように、引っ張りコイルバネ２７により第１の筐体２のスライド移動がアシストされる。このため、急いで使用したいときなどに片方だけでも第１の筐体２の開き方向のスライド操作が行える。また、ピニオン２４から伝えられた駆動力が第１の筐体２の中央のワイヤー２０に伝えられ、レール部１２と係止部１３との間で回転モーメントが掛かりにくくなり、摺動抵抗が小さくなるので、第１の筐体２がレール部１２に沿ってスムーズに移動する。
【００７３】
次いで、図５乃至図７に示すように、第１の筐体２が自動的に開き位置ヘスライド移動する。ピニオン２４は、ガイド孔２３の上端側に移動し、引っ張りコイルバネ２７は、縮んだ状態（ほぼ自然長）となる。小径歯車２６はラック２２の上端側にあり、大径プーリ２５は、ワイヤー２０の下側に巻き付いている。ピニオン２４やラック２２の形状を変更してスライド量を多くすることも容易である。
【００７４】
逆に第１の筐体２を第２の筐体３と重合させるときには、引っ張りコイルバネ２７によるアシストはないので、両手で第１の筐体２に力を加えて引っ張りコイルバネ２７を引っ張りながら係止部１３を鉤部３１ｂに固定する。すると、スライド式携帯電話機１が閉じ状態に保持される。
【００７５】
−実施形態の効果−
したがって、本実施形態にかかるスライド式携帯電話機１によると、ピニオン２４を、小径歯車２６と、この小径歯車２６のピッチ円直径よりもピッチ円直径が大きい大径プーリ２５とが上下に配置された上下二段のものとし、ピニオン２４がガイド孔２３内を移動しながらワイヤー２０を巻き付けるようにしたことにより、スライド機構４を厚さが極めて薄いものとすることができ、全体の厚さが薄く、スライド量の大きい、滑らかな動きのスライド式携帯電話機１が得られる。
【００７６】
上記実施形態によれば、引っ張りコイルバネ２７でピニオン２４をガイド孔２３に沿って付勢してピニオン２４がラック２２上を進みながらワイヤー２０を巻き付けるようにしたことにより、第１の筐体２のスライド操作を極めて容易に行うことができる。
【００７７】
上記実施形態によれば、引っ張りコイルバネ２７によってピニオン２４を一方向に付勢し、第１の筐体２のスライド移動をアシストするようにしたことにより、簡単な構成でスライド機構４の厚さを増大させることなく容易に第１の筐体２をスライド移動させることができる。
【００７８】
上記実施形態によれば、引っ張りコイルバネ２７によって第１の筐体２のスライド移動がアシストされ、第２の筐体３の操作部７が現れるようにしたことにより、片手のみでスライド操作し、簡単にスライド式携帯電話機１を使用することができる。
【００７９】
上記実施形態によれば、ワイヤー２０を第１の筐体２の左右中央に設けたことにより、摺動抵抗を減らして第１の筐体２のスライド移動を極めて容易に行うことができる。
【００８０】
上記実施形態によれば、ワイヤー２０を第１の筐体２の中央に配置したことで空いたラック２２と反対側にフレキシブル基板１１を配置したことにより、スペースを有効に利用して厚さの薄いコンパクトなスライド式携帯電話機１が得られる。
【００８１】
上記実施形態によれば、一対のレール部１２及びガイド孔２３を第２の筐体３表面のプレート部材１４に形成したことにより、一対のレール部１２及びガイド孔２３を正確に配置することができるので、スライド移動がスムーズに行われ、また、一対のレール部１２及びガイド孔２３を薄いプレート部材１４に設けることで、スライド機構４の薄型化を図り、スライド式携帯電話機１全体の薄さを薄くすることができる。
【００８２】
上記実施形態によれば、ラック２２とピニオン２４とを金属成形品とすれば、ギヤの噛み合い精度が高いので操作感触がよく、耐久性もあり、薄型なスライド機構４が得られ、樹脂成形品とすれば、摩擦抵抗の小さい操作が滑らかで、かつ安価なスライド機構４が得られる。
【００８３】
上記実施形態によれば、ピニオン２４及び引っ張りコイルバネ２７をプレート部材１４にユニット組立したことにより、ピニオン２４及び引っ張りコイルバネ２７の組立を薄い領域内に容易かつ正確に行うことができるので、組立のしやすく薄いスライド式携帯電話機１が得られる。
【００８４】
上記実施形態によれば、薄くて携帯性がよく、スライド量が大きくて操作部７の操作がしやすい商品性の高い携帯電話機が得られる。
【００８５】
（その他の実施形態）
本発明は、上記実施形態について、以下のような構成としてもよい。
【００８６】
すなわち、上記実施形態では、第１の筐体２の表面に表示部５を設け、第２の筐体３の表面に操作部７を設けたが、第２の筐体３の表面に表示部５を設け、第１の筐体２の表面に操作部７を設けてもよい。その場合には、厚さの厚い第１の筐体２側にプレート部材１４を設け、厚さの薄い第２の筐体３に裏側キャビネットを設ければよい。
【００８７】
上記実施形態では、縦長の第１の筐体２を縦長の第２の筐体３の長手方向にスライド移動させたが、横長の第１の筐体２を横長の第２の筐体３の幅方向にスライド移動させてもよい。
【００８８】
上記実施形態では、引っ張りコイルバネ２７によって、第１の筐体２と縦長の第２の筐体３とが開く方向にスライド移動をアシストさせたが、閉じる方向にアシストさせてもよい。この場合には、引っ張りコイルバネ２７を下方に設ければよい。
【００８９】
上記実施形態では、第２の筐体３には操作ボタンを設けていないが、その下側などに設けてもよい。しかし、スライド量が大きければ、第２の筐体３には操作ボタンは必要ない。
【００９０】
上記実施形態では、一対のレール部１２を溝形状とし、それに係止部１３を嵌め込むようにしたが、逆に係止部１３側を溝形状とし、一対のレール部１２側を係止部１３に嵌め込むようにしてもよい。
【００９１】
上記実施形態では、ワイヤー２０を第１の筐体２の中央に配置したことで空いたラック２２と反対側にフレキシブル基板１１を配置したが、フレキシブル基板１１をピニオン２４側に設け、空いた部分の内部容積を確保して、基板や電子部品等に使用してもよい。この場合にも、スライド式携帯電話機１の厚さの抑制に資する。
【００９２】
上記実施形態では、大径プーリ２５にワイヤー２０を巻き付けたが、スプロケットにチェーンを掛けるようにしてもよい。チェーンとスプロケットとの間には滑りは生じないので、スリップ防止用のスプリング２１が不要のため、機構がシンプルとなる。
【００９３】
上記実施形態では、ワイヤー２０は、ポリエステルの編み線よりなるものとしたが、ステンレス鋼などの金属のより線を樹脂で被覆したものとしてもよい。金属製なので、耐久性が高く細くすることが可能であり、樹脂を被覆することで、適度にスリップし、滑らかなスライドが実現される。
【００９４】
上記実施形態では、スライド式携帯端末をスライド式携帯電話機１としたが、ＰＨＳ、ＰＤＡ、ＰＣ、モバイルツール、電子辞書、電卓、複写機などでもよい。
【００９５】
なお、以上の実施形態は、本質的に好ましい例示であって、本発明、その適用物や用途の範囲を制限することを意図するものではない。
【図面の簡単な説明】
【００９６】
【図１】スライド式携帯電話機の平面図である。
【図２】閉じ状態にあるときのスライド機構を裏側キャビネットを一部破断して示す示す正面図である。
【図３】閉じ状態にあるときのスライド機構を示す背面図である。
【図４】閉じ状態にあるときのスライド機構を示す斜視図である。
【図５】開き状態にあるときのスライド機構を裏側キャビネットを一部破断して示す示す正面図である。
【図６】開き状態にあるときのスライド機構を示す背面図である。
【図７】開き状態にあるときのスライド機構を示す斜視図である。
【図８】図２のVIII−VIII線断面図である。
【図９】図３のIX−IX線で破断した斜視図である。
【図１０】スライド機構におけるピニオン及びその周辺の横断面を裏面側から見た斜視図である。
【図１１】取付ブラケット及びピニオンの中心軸の拡大斜視図である。
【符号の説明】
【００９７】
１      スライド式携帯電話機（スライド式携帯端末）
２      第１の筐体
２ａ    裏側キャビネット
３      第２の筐体
４      スライド機構
５      表示部
６      受話部
７      操作部
１１      フレキシブル基板
１１ａ    折曲部
１２      レール部
１３      係止部
１４      プレート部材
１４ａ    バネ支持部
１４ｂ    基板挿通用開口
１４ｃ    ロック取付部
２０      ワイヤー（可撓性線状部材）
２１      スプリング（弾性部材）
２２      ラック
２３      ガイド孔
２４      ピニオン
２４ａ    中心軸
２５      大径プーリ
２６      小径歯車
２７      引っ張りコイルバネ（付勢部材）
【図１】
0004649454.tif 000002
【図２】
0004649454.tif 000003
【図３】
0004649454.tif 000004
【図４】
0004649454.tif 000005
【図５】
0004649454.tif 000006
【図６】
0004649454.tif 000007
【図７】
0004649454.tif 000008
【図８】
0004649454.tif 000009
【図９】
0004649454.tif 000010
【図１０】
0004649454.tif 000011
【図１１】
0004649454.tif 000012